(57)【要約】【課題】本考案は、安価に利用可能な通信網を介して管理センタコンピュータ、バイア端末、ベンダ端末、倉庫・運輸会社端末というように主に異なる企業間における商品に関する一連の物流関連情報の一元管理を行う物流管理システムを提供する。【解決手段】本考案の物流管理システムは、管理センタコンピュータ１と、バイア端末２０と、ベンダ端末３０と、倉庫・運輸会社端末４０とを通信網５０により接続した物流管理システムであって、管理センタコンピュータ１が通信網５０を介してバイア端末２０に提供するウェブサイトからの商品の発注情報を起点として、バイア端末２０の物流関連情報、前記ベンダ端末３０の物流関連情報、倉庫・運輸会社端末４０の物流関連情報、を前記通信網５０を介して収集し前記管理センタコンピュータ１により一元管理するように構成したものである。【選択図】図１
0003102966.tif 000002
【実用新案登録請求の範囲】
【請求項１】
管理センタコンピュータと、バイア端末と、ベンダ端末と、倉庫・運輸会社端末とを通信網により接続した物流管理システムであって、
管理センタコンピュータが通信網を介してバイア端末に提供するウェブサイトからの商品の発注情報を起点として、前記バイア端末における前記商品の物流関連情報、前記ベンダ端末の前記商品の物流関連情報、前記倉庫・運輸会社端末の前記商品の物流関連情報を前記通信網を介して収集し前記管理センタコンピュータにより一元管理するように構成したことを特徴とする物流管理システム。
【請求項２】
管理センタコンピュータと、バイア端末と、ベンダ端末と、倉庫・運輸会社端末とを通信網により接続した物流管理システムであって、
管理センタコンピュータが通信網を介してバイア端末に提供するウェブサイトからの商品の発注情報を起点として、前記バイア端末における前記商品の発注、ベンダ端末からの納品書及び請求書、発注商品の受領、ベンダ端末への代金支払い情報を含む物流関連情報、前記ベンダ端末の前記商品の受注、倉庫・運輸会社端末への出荷指令、倉庫・運輸会社端末からの納品書及び請求書、バイア端末からの代金受領情報、倉庫・運輸会社端末への代金支払い情報を含む物流関連情報、前記倉庫・運輸会社端末の前記商品の出荷指令、前記商品の出荷処理、ベンダ端末への納品書及び請求書、ベンダ端末からの代金受領情報を含む物流関連情報、を前記通信網を介して収集し前記管理センタコンピュータにより一元管理するように構成したことを特徴とする物流管理システム。
【請求項３】
前記倉庫・運輸会社端末の物流関連情報は、前記ベンダ端末への出荷分追加発注、返品の処理、棚卸し及び在庫の情報を含み、前記ベンダ端末の物流関連情報は、前記倉庫・運輸会社端末への追加商品送品、棚卸し及び在庫の情報を含むことを特徴とする請求項１又は２記載の物流管理システム。
【請求項４】
管理センタコンピュータと、バイア端末と、ベンダ端末と、倉庫・運輸会社端末とを通信網により接続した物流管理システムに使用されるコンピュータ読み取り可能な物流管理用記憶媒体であって、前記管理センタコンピュータを、通信網を介してのバイア端末への商品発注用のウェブサイトの提供、前記バイア端末における商品発注を起点とする当該商品の物流関連情報、前記ベンダ端末の前記商品の物流関連情報、前記倉庫・運輸会社端末の前記商品の物流関連情報を前記通信網を介して収集し一元管理する手段として機能させるプログラムを記憶したことを特徴とする物流管理用記憶媒体。
【請求項５】
管理センタコンピュータと、バイア端末と、ベンダ端末と、倉庫・運輸会社端末とを通信網により接続した物流管理システムに使用されるコンピュータ読み取り可能な物流管理用記憶媒体であって、前記管理センタコンピュータを、通信網を介してのバイア端末への商品発注用のウェブサイトの提供、前記バイア端末における前記商品の発注、ベンダ端末からの納品書及び請求書、発注商品の受領、ベンダ端末への代金支払い情報を含む物流関連情報、前記バイア端末における前記商品の発注、ベンダ端末からの納品書及び請求書、発注商品の受領、ベンダ端末への代金支払い情報を含む物流関連情報、前記ベンダ端末の前記商品の受注、倉庫・運輸会社端末への出荷指令、倉庫・運輸会社端末からの納品書及び請求書、バイア端末からの代金受領情報、倉庫・運輸会社端末への代金支払い情報を含む物流関連情報、を前記通信網を介して収集し一元管理する手段として機能させるプログラムを記憶したことを特徴とする物流管理用記憶媒体。
【請求項６】
前記倉庫・運輸会社端末の物流関連情報は、前記ベンダ端末への出荷分追加発注、返品の処理、棚卸し及び在庫の情報を含み、前記ベンダ端末の物流関連情報は、前記倉庫・運輸会社端末への追加商品送品、棚卸し及び在庫の情報を含むことを特徴とする請求項４又は５記載の物流管理用記憶媒体。
【考案の詳細な説明】
【技術分野】
【０００１】
本考案は、各種商品の発注から発注商品の受領等に至る一連の物流関連情報の一元管理を行う物流管理システム、物流管理用記憶媒体に関するものである。
【背景技術】
【０００２】
商品の発注から発注商品の受領等に至る一連の物流は、経済の発展とともに種々の機能やシステムを変革を図り、人々を豊かな社会へと導くための一端を担ってきている。すなわち、商品の製造、配送、情報処理、在庫管理、販売営業活動等をサポートする機能を充実させてきている。
【０００３】
しかしながら、この種の分野の従来においては、メーカ、クライアント、倉庫・運送を行う業者（企業）が各々個別単独で物流管理システムを構築しているのが実情であり、相互間の連係が希薄であるため、各々重複した作業を行っているのが実情である。
【０００４】
特許文献１には、物流情報サーバと、販売店端末と、出荷センタと、製造部門端末とをネットワークで結び、これら相互間の物流情報を物流情報サーバにて一元管理する物流管理システムが提案されている。
【０００５】
しかし、この特許文献１の物流管理システムの場合においても、主として同一の企業体の物流管理システムに止まるものであり、バイア（クライアント）、ベンダ（メーカ）、倉庫・運輸会社が異なる企業の場合における物流管理システムとしては不十分なものであった。
このように、従来においては、安価な構成で主に異なる企業間における商品に関する一連の物流関連情報の総合的な一元管理を行うシステムが存在しないのが実情である。
【特許文献１】特開２００３−８９４２５号公報
【考案の開示】
【考案が解決しようとする課題】
【０００６】
解決しようとする問題点は、安価な構成で主に異なる企業間における商品に関する一連の物流関連情報の総合的な一元管理を行うシステムが存在しない点である。
【課題を解決するための手段】
【０００７】
本考案は、管理センタコンピュータと、バイア端末と、ベンダ端末と、倉庫・運輸会社端末とを通信網により接続した物流管理システムであって、管理センタコンピュータが通信網を介してバイア端末に提供するウェブサイトからの商品の発注情報を起点として、前記バイア端末における前記商品の物流関連情報、前記ベンダ端末の前記商品の物流関連情報、前記倉庫・運輸会社端末の前記商品の物流関連情報を前記通信網を介して収集し前記管理センタコンピュータにより一元管理するように構成したことを最も主要な特徴とするものである。
【０００８】
本考案における前記管理センタコンピュータにより行なう一元管理は、管理センタコンピュータと、バイア端末と、ベンダ端末と、倉庫・運輸会社端末とを通信網により接続した物流管理システムに使用される物流管理用プログラムにより行なう。
【０００９】
更に、本考案は、管理センタコンピュータと、バイア端末と、ベンダ端末と、倉庫・運輸会社端末とを通信網により接続した物流管理システムに使用されるコンピュータ読み取り可能な物流管理用記憶媒体であって、前記管理センタコンピュータを、通信網を介してのバイア端末への商品発注用のウェブサイトの提供、前記バイア端末における商品発注を起点とする当該商品の物流関連情報、前記ベンダ端末の前記商品の物流関連情報、前記倉庫・運輸会社端末の前記商品の物流関連情報を前記通信網を介して収集し一元管理する手段として機能させるプログラムを記憶したことを特徴とするものである。
【考案の効果】
【００１０】
本考案によれば、管理センタコンピュータにより、バイア端末、ベンダ端末、倉庫・運輸会社端末における在庫確認、棚卸し等の種々の情報管理が安価に利用可能な通信網を介して一元管理することができ、また、物流関連情報の情報集計、管理センタコンピュータにおける各端末からの情報収集、全ての物流関連情報の一元管理が容易となって、全体として、転記ミスの防止、ペーパーレス化の促進、エラー発生時の原因把握の容易化、ファクシミリ文書、通常電話による情報確認作業の不要化を通じて、通信費、諸経費、人件費の削減等多大の効果を奏する物流管理システムを提供することができる。
【００１１】
また、本考案によれば、上述した多大の効果を奏する物流管理システムを容易に構築できる物流管理プログラムを記憶した記憶媒体を提供することができ、多くの企業等への物流管理システム構築の拡大に供することができる。
【考案を実施するための最良の形態】
【００１２】
安価に利用可能な通信網を介して管理センタコンピュータ、バイア端末、ベンダ端末、倉庫・運輸会社端末というように主に異なる企業間における商品に関する一連の物流関連情報の総合的な一元管理を行うという課題を、管理センタコンピュータと、バイア端末と、ベンダ端末と、倉庫・運輸会社端末とを通信網により接続した物流管理システムであって、管理センタコンピュータが通信網を介してバイア端末に提供するウェブサイトからの商品の発注情報を起点として、前記バイア端末における前記商品の発注、ベンダ端末からの納品書及び請求書、発注商品の受領、ベンダ端末への代金支払い情報を含む物流関連情報、前記ベンダ端末の前記商品の受注、倉庫・運輸会社端末への出荷指令、倉庫・運輸会社端末からの納品書及び請求書、バイア端末からの代金受領情報、倉庫・運輸会社端末への代金支払い情報を含む物流関連情報、前記倉庫・運輸会社端末の前記商品の出荷指令、前記商品の出荷処理、ベンダ端末への納品書及び請求書、ベンダ端末からの代金受領情報を含む物流関連情報、を前記通信網を介して収集し前記管理センタコンピュータにより一元管理するように構成することによって実現した。この場合、前記倉庫・運輸会社端末の物流関連情報は、前記ベンダ端末への出荷分追加発注、返品の処理、棚卸し及び在庫の情報を含み、前記ベンダ端末の物流関連情報は、前記倉庫・運輸会社端末への追加商品送品、棚卸し及び在庫の情報を含む構成として物流管理システムを構築することができる。
【００１３】
また、本考案において用いる物流管理用プログラムは、上記物流管理システムの一連の物流関連情報の処理を実現するプログラムであり、本考案の記憶媒体はかかる物流管理用プログラムをコンピュータ読み取り可能に記憶したものであって、多くの企業等への既述した物流管理システム構築の拡大に用いて好適である。
【実施例】
【００１４】
以下に、本考案の実施例を詳細に説明する。
図１は、本実施例に係る物流管理システムの全体構成を示すブロック図、図２は、本実施例に係る物流管理システムのバイア端末、ベンダ端末、倉庫・運輸会社端末の詳細ブロック図、図３は、本実施例に係る物流管理システムの管理センタコンピュータの詳細ブロック図である。
【００１５】
本実施例に係る物流管理システムは、全体の管理を行う管理センタコンピュータ１と、商品の購入を行うバイア（クライアント）に設置されたバイア端末（クライアント端末）２０と、商品の製造、供給を行うベンダ（メーカ）に設置されたベンダ端末（メーカ端末）３０と、商品の保管、配送を行う倉庫・運輸会社に設置された倉庫・運輸会社端末４０とを、随時又は常時インターネットのような通信網５０により接続可能に構成している。通信網５０としては、公知のように、ＡＤＳＬ（Ａｓｙｍｍｅｔｒｉｃ  Ｄｉｇｉｔａｌ  Ｓｕｂｓｃｒｉｂｅｒ）網、光ファイバ回線網、ＩＳＤＮ回線網等を使用するインターネット回線網が採用される。
【００１６】
管理センタコンピュータ１は、図３に示すように、前記通信網５０に図示しないインターフェースを介して接続されるＬＡＮ回線２を具備している。
【００１７】
このＬＡＮ回線２には、詳細は後述する物流管理プログラムを記憶したプログラムメモリ４と、プログラムメモリ４の記憶した（又は後述の記憶媒体５に記憶した）物流管理プログラムに基づいて動作し、全体の制御を行う制御部３と、物流管理プログラムを記憶した例えばＤＶＤ−ＲＯＭ、ＣＤ−ＲＯＭ等の記憶媒体５に対する読み取りを行う媒体処理部６と、図示しないがファイアーウォール等を使用して物流関連情報交信の際のセキュリティ保護を行うセキュリティサーバ７と、一連の物流関連情報に関するウェブサイト６０（図４参照）の提供を行うウェブ（Ｗｅｂ）サーバ８と、電子メールの送受信機能を有するメールサーバ９と、通信網５０を介して通話を行うＩＰ電話（ＩＰ  Ｐｈｏｎｅ：インターネット電話）１０と、メインデータベース１１とが各々接続されている。
【００１８】
更に、管理センタコンピュータ１は、ウェブサーバ８用のウェブデータベース１２と、ＩＰ電話１０用のＣＴＩ（Ｃｏｍｐｕｔｅｒ  Ｔｅｌｅｐｈｏｎｙ  Ｉｎｔｅｇｒａｔｉｏｎ）データベース１３、前記ＬＡＮ回線２に入出力インターフェース１４を介して接続したキーボード１５、マウス１６、プリンタ１７、液晶型又はＣＲＴ型の表示部１８等の入出力機器を具備している。
【００１９】
前記バイア端末２０は、図２に示すように、ノート型パソコン又はデスクトップ型パソコン等の操作用端末２１及びＩＰ電話２２を具備し、ベンダ端末３０も、同様な操作用端末３１及びＩＰ電話３２を具備し、倉庫・運輸会社端末４０も、同様な操作用端末４１及びＩＰ電話４２を具備している。
【００２０】
次に、本実施例に係る物流管理システムの動作について図４、図５をも参照して説明する。
この物流管理システムを起動させると、管理センタコンピュータ１は、物流管理プログラムに基づいて通信網５０を介して前記バイア端末２０、ベンダ端末３０、倉庫・運輸会社端末４０に物流関連情報の一つである共通情報、すなわち、見積書、納品書、請求書等の帳票類情報、物流管理プログラムに含まれる情報集計処理プログラム等を提供可能とする。
【００２１】
更に、管理センタコンピュータ１のウェブサーバ８は、通信網５０を介してのバイア端末２０からのアクセスに応じてバイア端末２０に図４に示すようなウェブサイト６０の提供を行う。
ウェブサイト６０には、図４に示すようにバイア側で所望する商品の在庫情報、選択ボタン、発注ボタン等が表示され、バイアによる在庫の確認、選択、所望商品の発注が可能となる。
【００２２】
バイアが、前記バイア端末２０から発注ボタンを操作し、所望の商品の発注を行うと、この商品の発注情報を起点として、前記バイア端末２０、ベンダ端末３０、倉庫・運輸会社端末４０における一連の物流関連情報の処理が実行される。すなわち、前記バイア端末２０による発注情報は通信網５０を介してベンダ端末３０に送られ、ベンダ端末３０は発注情報を受信して受注処理を行い、バイア端末２０に通信網５０を介して当該商品の納期情報を送信する。これにより、バイア端末２０にて発注商品の納期を確認することができる。
【００２３】
次に、ベンダ端末３０によって、発注情報に基づいた出荷指令が通信網５０を介して倉庫・運輸会社端末４０に送信される。倉庫・運輸会社端末４０は、ベンダ端末３０からの出荷指令を受信すると、自己の倉庫内の在庫確認処理を行い、当該商品の在庫を確認した後、この倉庫・運輸会社端末４０によって図示しないがトラック便等による当該商品の出荷手配等が行われ、これにより当該商品はベンダに向けて発送される。
【００２４】
倉庫・運輸会社端末４０は、当該商品の出荷手配終了後、通信網５０を介してベンダ端末３０に対して、予め前記管理センタコンピュータ１から取得している共通化された納品書、請求書を用いた情報伝送により前記商品の出荷に関連する代金請求を行う。倉庫・運輸会社端末４０は、更にベンダ端末３０に対して出荷分を補充するための出荷分追加発注、当該商品受理の情報伝送を行い、その情報を記憶保持する。
【００２５】
前記ベンダ端末３０は、出荷指令送信後、前記バイア端末２０への共通化された納品書、請求書を用いた情報伝送により前記受注商品に関連する代金請求を行う。また、ベンダ端末３０は、倉庫・運輸会社への出荷分追加処理を行いその情報を記憶保持する。
【００２６】
前記バイア端末２０は、前記倉庫・運輸会社が発送した発注商品を受領すると、ベンダ端末３０から送信された納品書、請求書の情報を確認し、図示しないが関連金融機関へ発注商品の代金支払いを行い、その支払い情報を前記ベンダ端末３０へ送信する。ベンダ端末３０はその支払い情報を記憶保持する。
【００２７】
前記ベンダ端末３０も、倉庫・運輸会社端末４０から送信された納品書、請求書の情報を確認し、図示しないが関連金融機関へ代金支払いを行い、その支払い情報を前記倉庫・運輸会社端末４０へ送信する。ベンダ端末３０その支払い情報を記憶保持する。
【００２８】
この他、前記ベンダ端末３０にける商品の棚卸し情報、前記倉庫・運輸会社端末４０における商品の棚卸し情報、返品される商品の処理情報各々記憶保持される。
【００２９】
更に、上述した各端末において各々処理され記憶される全ての物流関連情報が、各々情報集計され、通信網５０を介して管理センタコンピュータ１へ送られ、管理センタコンピュータ１にて一元管理される。
【００３０】
すなわち、前記バイア端末２０においては、前記商品の発注、ベンダ端末３０からの納品書及び請求書の受信、発注商品の受領、ベンダ端末３０への代金支払いを含む物流関連情報が、前記物流管理プログラムに基づいて情報集計され、集計情報が前記通信網５０を介して管理センタコンピュータ１に送信される。
【００３１】
また、前記ベンダ端末３０においては、前記商品の受注、倉庫・運輸会社端末４０への出荷指令、倉庫・運輸会社端末４０からの納品書及び請求書、バイア端末２０からの代金受領、倉庫・運輸会社端末４０への代金支払いを含む物流関連情報が、前記物流管理プログラムに基づいて情報集計され、集計情報が前記通信網５０を介して管理センタコンピュータ１に送信される。
【００３２】
更に、前記倉庫・運輸会社端末４０においては、前記商品の出荷指令、前記商品の出荷処理、ベンダ端末３０への納品書及び請求書、ベンダ端末３０からの代金受領を含む物流関連情報が、前記物流管理プログラムに基づいて情報集計され、集計情報が前記通信網５０を介して管理センタコンピュータ１に送信される。
【００３３】
管理センタコンピュータ１においては、バイア端末２０、ベンダ端末３０、倉庫・運輸会社端末４０からの各集計情報を前記物流管理プログラムに基づいて受信して、メインデータベース１１に記憶保持し、一元管理に供する。
【００３４】
上述した一連の物流関連情報の処理において、前記管理センタコンピュータ１と、バイア端末２０、ベンダ端末３０、倉庫・運輸会社端末４０との通信は、各々端末操作による他、ＩＰ電話１０、ＩＰ電話２２、３２、４２を用いた通信網５０を介しての通話交信で行うこともでき、この場合にも、通話交信の内容が、バイア端末２０、ベンダ端末３０、倉庫・運輸会社端末４０で各々記録され、管理センタコンピュータ１へ送信して物流関連情報の一元管理に供することができる。また、通常電話を使用する場合よりも、通信料金を節減することができる。
【００３５】
また、上述した管理センタコンピュータ１、バイア端末２０、ベンダ端末３０、倉庫・運輸会社端末４０を通信網５０を介して接続したシステムにおける一連の物流関連情報の処理を行う物流管理プログラムを前記プログラムメモリ４に予め記憶して本実施例に係る物流管理システムを動作させる場合の他、前記記憶媒体５にコンピュータ読み取り可能に物流管理プログラム記憶しておき、媒体処理部６にて読み込んで本実施例に係る物流管理システムを動作させることもできる。
【００３６】
更に、上述した実施例では、バイア端末２０、ベンダ端末３０、倉庫・運輸会社端末４０は、各々単一構成として物流管理システムを構成する場合について説明したが、図６に示すように、バイア端末２０、ベンダ端末３０、倉庫・運輸会社端末４０は、各々複数のバイア群、複数のベンダ群、倉庫・運輸会社の複数の倉庫群用の複数個構成としても当然に実施できる。
【００３７】
この場合、複数のバイア群、複数のベンダ群は、同一会社の異なる営業所群、異なる工場群等からなる構成としたり、異なる会社の営業所群、異なる会社の工場群からなる構成したりすることが可能である。また、倉庫・運輸会社端末４０の群構成として、業務提携する異なる会社の各倉庫群を通信網５０を介して接続した構成とすることも可能である。
【００３８】
以上説明した本実施例によれば、管理センタコンピュータ１により、バイア端末２０、ベンダ端末３０、倉庫・運輸会社端末４０における物流関連情報を安価に利用可能な通信網５０を介して一元管理することができ、安価な物流管理システムを構築することができる。
【００３９】
また、ウェブサイトを利用してのリアルタイムに在庫確認、棚卸し等の種々の情報管理が可能となり、特に注文商品の速やかな出荷対応が可能となる。更に、バイア端末２０、ベンダ端末３０、倉庫・運輸会社端末４０各々での物流関連情報の情報集計、管理センタコンピュータ１における各端末からの情報収集、全ての物流関連情報の一元管理が容易となる。
この結果、全体として、転記ミスの防止、ペーパーレス化の促進、エラー発生時の原因把握の容易化、ファクシミリ文書、通常電話による情報確認作業の不要化を通じて、通信費、諸経費、人件費の削減等多大の効果を奏する物流管理システムを提供することができる。
【００４０】
また、本実施例によれば、上述した多大の効果を奏する物流管理システムを容易に構築することができる物流管理プログラム及びこの物流管理プログラムを記憶した記憶媒体を提供でき、多くの企業等への物流管理システム構築の拡大に供することができる。
【産業上の利用可能性】
【００４１】
本考案は、上述したように、管理センタコンピュータにより、各々単独のバイア端末、ベンダ端末、倉庫・運輸会社端末における物流関連情報を一元管理する場合の他、複数の、すなわち、各々群構成からなるバイア端末、ベンダ端末、倉庫・運輸会社端末における物流関連情報を通信網を介して管理センタコンピュータにて総合的に一元管理する場合にも適用することができる。
【図面の簡単な説明】
【００４２】
【図１】本考案の実施例に係る物流管理システムにおける全体構成を示すブロック図である。
【図２】本考案の実施例に係る物流管理システムにおけるバイア端末、ベンダ端末、倉庫・運輸会社端末の詳細ブロック図である。
【図３】本考案の実施例に係る物流管理システムにおける管理センタコンピュータの詳細ブロック図である。
【図４】本考案の実施例に係るウェブサイトの一例を示す図である。
【図５】本考案の実施例に係る物流管理システムにおける物流管理プログラムに基づく一連の処理の流れを示す図である。
【図６】本考案の実施例に係る物流管理システムの応用例を示すブロック図である。
【符号の説明】
【００４３】
１    管理センタコンピュータ
２    ＬＡＮ回線
３    制御部
４    プログラムメモリ
５    記憶媒体
６    媒体処理部
７    セキュリティサーバ
８    ウェブサーバ
９    メールサーバ
１０    ＩＰ電話
１１    メインデータベース
１２    ウェブデータベース
１３    ＣＴＩデータベース
１４    入出力インターフェース
１５    キーボード
１６    マウス
１７    プリンタ
１８    表示部
２０    バイア端末
２１    操作用端末
２２    ＩＰ電話
３０    ベンダ端末
３１    操作用端末
３２    ＩＰ電話
４０    倉庫・運輸会社端末
４１    操作用端末
４２    ＩＰ電話
５０    通信網
６０    ウェブサイト
【図１】
0003102966.tif 000003
【図２】
0003102966.tif 000004
【図３】
0003102966.tif 000005
【図４】
0003102966.tif 000006
【図５】
0003102966.tif 000007
【図６】
0003102966.tif 000008
【手続補正書】
【提出日】平成16年3月18日(2004.3.18)
【手続補正１】
【補正対象書類名】実用新案登録請求の範囲
【補正対象項目名】全文
【補正方法】変更
【補正の内容】
【実用新案登録請求の範囲】
【請求項１】
管理センタコンピュータと、バイア端末と、ベンダ端末と、倉庫・運輸会社端末とを通信網により接続した物流管理システムであって、
管理センタコンピュータが通信網を介してバイア端末に提供するウェブサイトからの商品の発注情報を起点として、前記バイア端末における前記商品の物流関連情報、前記ベンダ端末の前記商品の物流関連情報、前記倉庫・運輸会社端末の前記商品の物流関連情報を前記通信網を介して収集し前記管理センタコンピュータにより一元管理するように構成したことを特徴とする物流管理システム。
【請求項２】
管理センタコンピュータと、バイア端末と、ベンダ端末と、倉庫・運輸会社端末とを通信網により接続した物流管理システムであって、
管理センタコンピュータが通信網を介してバイア端末に提供するウェブサイトからの商品の発注情報を起点として、前記バイア端末における前記商品の発注、ベンダ端末からの納品書及び請求書、発注商品の受領、ベンダ端末への代金支払い情報を含む物流関連情報、前記ベンダ端末の前記商品の受注、倉庫・運輸会社端末への出荷指令、倉庫・運輸会社端末からの納品書及び請求書、バイア端末からの代金受領情報、倉庫・運輸会社端末への代金支払い情報を含む物流関連情報、前記倉庫・運輸会社端末の前記商品の出荷指令、前記商品の出荷処理、ベンダ端末への納品書及び請求書、ベンダ端末からの代金受領情報を含む物流関連情報、を前記通信網を介して収集し前記管理センタコンピュータにより一元管理するように構成したことを特徴とする物流管理システム。
【請求項３】
前記倉庫・運輸会社端末の物流関連情報は、前記ベンダ端末への出荷分追加発注、返品の処理、棚卸し及び在庫の情報を含み、前記ベンダ端末の物流関連情報は、前記倉庫・運輸会社端末への追加商品送品、棚卸し及び在庫の情報を含むことを特徴とする請求項１又は２記載の物流管理システム。
【請求項４】
管理センタコンピュータと、バイア端末と、ベンダ端末と、倉庫・運輸会社端末とを通信網により接続した物流管理システムに使用されるコンピュータ読み取り可能な物流管理用記憶媒体を具備した物流管理システムであって、
前記管理センタコンピュータを、通信網を介してのバイア端末への商品発注用のウェブサイトの提供、前記バイア端末における商品発注を起点とする当該商品の物流関連情報、前記ベンダ端末の前記商品の物流関連情報、前記倉庫・運輸会社端末の前記商品の物流関連情報を前記通信網を介して収集し一元管理する手段として機能させるプログラムを記憶した物流管理用記憶媒体を具備することを特徴とする物流管理システム。
【請求項５】
管理センタコンピュータと、バイア端末と、ベンダ端末と、倉庫・運輸会社端末とを通信網により接続した物流管理システムに使用されるコンピュータ読み取り可能な物流管理用記憶媒体を具備した物流管理システムであって、
前記管理センタコンピュータを、通信網を介してのバイア端末への商品発注用のウェブサイトの提供、前記バイア端末における前記商品の発注、ベンダ端末からの納品書及び請求書、発注商品の受領、ベンダ端末への代金支払い情報を含む物流関連情報、前記バイア端末における前記商品の発注、ベンダ端末からの納品書及び請求書、発注商品の受領、ベンダ端末への代金支払い情報を含む物流関連情報、前記ベンダ端末の前記商品の受注、倉庫・運輸会社端末への出荷指令、倉庫・運輸会社端末からの納品書及び請求書、バイア端末からの代金受領情報、倉庫・運輸会社端末への代金支払い情報を含む物流関連情報、を前記通信網を介して収集し一元管理する手段として機能させるプログラムを記憶した物流管理用記憶媒体を具備することを特徴とする物流管理システム。
【請求項６】
前記倉庫・運輸会社端末の物流関連情報は、前記ベンダ端末への出荷分追加発注、返品の処理、棚卸し及び在庫の情報を含み、前記ベンダ端末の物流関連情報は、前記倉庫・運輸会社端末への追加商品送品、棚卸し及び在庫の情報を含むものである請求項４又は５記載の物流管理用記憶媒体を具備することを特徴とする物流管理システム。
【手続補正２】
【補正対象書類名】明細書
【補正対象項目名】全文
【補正方法】変更
【補正の内容】
【考案の詳細な説明】
【技術分野】
【０００１】
本考案は、各種商品の発注から発注商品の受領等に至る一連の物流関連情報の一元管理を行う物流管理システム及び該システムを実現する物流管理用記憶媒体を具備する物流管理システムに関するものである。
【背景技術】
【０００２】
商品の発注から発注商品の受領等に至る一連の物流は、経済の発展とともに種々の機能やシステムを変革を図り、人々を豊かな社会へと導くための一端を担ってきている。すなわち、商品の製造、配送、情報処理、在庫管理、販売営業活動等をサポートする機能を充実させてきている。
【０００３】
しかしながら、この種の分野の従来においては、メーカ、クライアント、倉庫・運送を行う業者（企業）が各々個別単独で物流管理システムを構築しているのが実情であり、相互間の連係が希薄であるため、各々重複した作業を行っているのが実情である。
【０００４】
特許文献１には、物流情報サーバと、販売店端末と、出荷センタと、製造部門端末とをネットワークで結び、これら相互間の物流情報を物流情報サーバにて一元管理する物流管理システムが提案されている。
【０００５】
しかし、この特許文献１の物流管理システムの場合においても、主として同一の企業体の物流管理システムに止まるものであり、バイア（クライアント）、ベンダ（メーカ）、倉庫・運輸会社が異なる企業の場合における物流管理システムとしては不十分なものであった。
このように、従来においては、安価な構成で主に異なる企業間における商品に関する一連の物流関連情報の総合的な一元管理を行うシステムが存在しないのが実情である。
【特許文献１】特開２００３−８９４２５号公報
【考案の開示】
【考案が解決しようとする課題】
【０００６】
解決しようとする問題点は、安価な構成で主に異なる企業間における商品に関する一連の物流関連情報の総合的な一元管理を行うシステムが存在しない点である。
【課題を解決するための手段】
【０００７】
本考案は、管理センタコンピュータと、バイア端末と、ベンダ端末と、倉庫・運輸会社端末とを通信網により接続した物流管理システムであって、管理センタコンピュータが通信網を介してバイア端末に提供するウェブサイトからの商品の発注情報を起点として、前記バイア端末における前記商品の物流関連情報、前記ベンダ端末の前記商品の物流関連情報、前記倉庫・運輸会社端末の前記商品の物流関連情報を前記通信網を介して収集し前記管理センタコンピュータにより一元管理するように構成したことを最も主要な特徴とするものである。
【０００８】
本考案における前記管理センタコンピュータにより行なう一元管理は、管理センタコンピュータと、バイア端末と、ベンダ端末と、倉庫・運輸会社端末とを通信網により接続した物流管理システムに使用される物流管理用プログラムにより行なう。
【０００９】
更に、本考案は、管理センタコンピュータと、バイア端末と、ベンダ端末と、倉庫・運輸会社端末とを通信網により接続した物流管理システムに使用されるコンピュータ読み取り可能な物流管理用記憶媒体を具備する物流管理システムであって、前記管理センタコンピュータを、通信網を介してのバイア端末への商品発注用のウェブサイトの提供、前記バイア端末における商品発注を起点とする当該商品の物流関連情報、前記ベンダ端末の前記商品の物流関連情報、前記倉庫・運輸会社端末の前記商品の物流関連情報を前記通信網を介して収集し一元管理する手段として機能させるプログラムを記憶したことを特徴とするものである。
【考案の効果】
【００１０】
本考案によれば、管理センタコンピュータにより、バイア端末、ベンダ端末、倉庫・運輸会社端末における在庫確認、棚卸し等の種々の情報管理が安価に利用可能な通信網を介して一元管理することができ、また、物流関連情報の情報集計、管理センタコンピュータにおける各端末からの情報収集、全ての物流関連情報の一元管理が容易となって、全体として、転記ミスの防止、ペーパーレス化の促進、エラー発生時の原因把握の容易化、ファクシミリ文書、通常電話による情報確認作業の不要化を通じて、通信費、諸経費、人件費の削減等多大の効果を奏する物流管理システムを提供することができる。
【００１１】
また、本考案によれば、上述した多大の効果を奏する物流管理システムを容易に構築できる物流管理プログラムを記憶した記憶媒体を具備する物流管理システムを提供することができ、多くの企業等への物流管理システム構築の拡大に供することができる。
【考案を実施するための最良の形態】
【００１２】
安価に利用可能な通信網を介して管理センタコンピュータ、バイア端末、ベンダ端末、倉庫・運輸会社端末というように主に異なる企業間における商品に関する一連の物流関連情報の総合的な一元管理を行うという課題を、管理センタコンピュータと、バイア端末と、ベンダ端末と、倉庫・運輸会社端末とを通信網により接続した物流管理システムであって、管理センタコンピュータが通信網を介してバイア端末に提供するウェブサイトからの商品の発注情報を起点として、前記バイア端末における前記商品の発注、ベンダ端末からの納品書及び請求書、発注商品の受領、ベンダ端末への代金支払い情報を含む物流関連情報、前記ベンダ端末の前記商品の受注、倉庫・運輸会社端末への出荷指令、倉庫・運輸会社端末からの納品書及び請求書、バイア端末からの代金受領情報、倉庫・運輸会社端末への代金支払い情報を含む物流関連情報、前記倉庫・運輸会社端末の前記商品の出荷指令、前記商品の出荷処理、ベンダ端末への納品書及び請求書、ベンダ端末からの代金受領情報を含む物流関連情報、を前記通信網を介して収集し前記管理センタコンピュータにより一元管理するように構成することによって実現した。この場合、前記倉庫・運輸会社端末の物流関連情報は、前記ベンダ端末への出荷分追加発注、返品の処理、棚卸し及び在庫の情報を含み、前記ベンダ端末の物流関連情報は、前記倉庫・運輸会社端末への追加商品送品、棚卸し及び在庫の情報を含む構成として物流管理システムを構築することができる。
【００１３】
また、本考案において用いる物流管理用プログラムは、上記物流管理システムの一連の物流関連情報の処理を実現するプログラムであり、本考案の記憶媒体を具備する物流管理システムはかかる物流管理用プログラムをコンピュータ読み取り可能に記憶したものであって、多くの企業等への既述した物流管理システム構築の拡大に用いて好適である。
【実施例】
【００１４】
以下に、本考案の実施例を詳細に説明する。
図１は、本実施例に係る物流管理システムの全体構成を示すブロック図、図２は、本実施例に係る物流管理システムのバイア端末、ベンダ端末、倉庫・運輸会社端末の詳細ブロック図、図３は、本実施例に係る物流管理システムの管理センタコンピュータの詳細ブロック図である。
【００１５】
本実施例に係る物流管理システムは、全体の管理を行う管理センタコンピュータ１と、商品の購入を行うバイア（クライアント）に設置されたバイア端末（クライアント端末）２０と、商品の製造、供給を行うベンダ（メーカ）に設置されたベンダ端末（メーカ端末）３０と、商品の保管、配送を行う倉庫・運輸会社に設置された倉庫・運輸会社端末４０とを、随時又は常時インターネットのような通信網５０により接続可能に構成している。通信網５０としては、公知のように、ＡＤＳＬ（Ａｓｙｍｍｅｔｒｉｃ  Ｄｉｇｉｔａｌ  Ｓｕｂｓｃｒｉｂｅｒ）網、光ファイバ回線網、ＩＳＤＮ回線網等を使用するインターネット回線網が採用される。
【００１６】
管理センタコンピュータ１は、図３に示すように、前記通信網５０に図示しないインターフェースを介して接続されるＬＡＮ回線２を具備している。
【００１７】
このＬＡＮ回線２には、詳細は後述する物流管理プログラムを記憶したプログラムメモリ４と、プログラムメモリ４の記憶した（又は後述の記憶媒体５に記憶した）物流管理プログラムに基づいて動作し、全体の制御を行う制御部３と、物流管理プログラムを記憶した例えばＤＶＤ−ＲＯＭ、ＣＤ−ＲＯＭ等の記憶媒体５に対する読み取りを行う媒体処理部６と、図示しないがファイアーウォール等を使用して物流関連情報交信の際のセキュリティ保護を行うセキュリティサーバ７と、一連の物流関連情報に関するウェブサイト６０（図４参照）の提供を行うウェブ（Ｗｅｂ）サーバ８と、電子メールの送受信機能を有するメールサーバ９と、通信網５０を介して通話を行うＩＰ電話（ＩＰ  Ｐｈｏｎｅ：インターネット電話）１０と、メインデータベース１１とが各々接続されている。
【００１８】
更に、管理センタコンピュータ１は、ウェブサーバ８用のウェブデータベース１２と、ＩＰ電話１０用のＣＴＩ（Ｃｏｍｐｕｔｅｒ  Ｔｅｌｅｐｈｏｎｙ  Ｉｎｔｅｇｒａｔｉｏｎ）データベース１３、前記ＬＡＮ回線２に入出力インターフェース１４を介して接続したキーボード１５、マウス１６、プリンタ１７、液晶型又はＣＲＴ型の表示部１８等の入出力機器を具備している。
【００１９】
前記バイア端末２０は、図２に示すように、ノート型パソコン又はデスクトップ型パソコン等の操作用端末２１及びＩＰ電話２２を具備し、ベンダ端末３０も、同様な操作用端末３１及びＩＰ電話３２を具備し、倉庫・運輸会社端末４０も、同様な操作用端末４１及びＩＰ電話４２を具備している。
【００２０】
次に、本実施例に係る物流管理システムの動作について図４、図５をも参照して説明する。
この物流管理システムを起動させると、管理センタコンピュータ１は、物流管理プログラムに基づいて通信網５０を介して前記バイア端末２０、ベンダ端末３０、倉庫・運輸会社端末４０に物流関連情報の一つである共通情報、すなわち、見積書、納品書、請求書等の帳票類情報、物流管理プログラムに含まれる情報集計処理プログラム等を提供可能とする。
【００２１】
更に、管理センタコンピュータ１のウェブサーバ８は、通信網５０を介してのバイア端末２０からのアクセスに応じてバイア端末２０に図４に示すようなウェブサイト６０の提供を行う。
ウェブサイト６０には、図４に示すようにバイア側で所望する商品の在庫情報、選択ボタン、発注ボタン等が表示され、バイアによる在庫の確認、選択、所望商品の発注が可能となる。
【００２２】
バイアが、前記バイア端末２０から発注ボタンを操作し、所望の商品の発注を行うと、この商品の発注情報を起点として、前記バイア端末２０、ベンダ端末３０、倉庫・運輸会社端末４０における一連の物流関連情報の処理が実行される。すなわち、前記バイア端末２０による発注情報は通信網５０を介してベンダ端末３０に送られ、ベンダ端末３０は発注情報を受信して受注処理を行い、バイア端末２０に通信網５０を介して当該商品の納期情報を送信する。これにより、バイア端末２０にて発注商品の納期を確認することができる。
【００２３】
次に、ベンダ端末３０によって、発注情報に基づいた出荷指令が通信網５０を介して倉庫・運輸会社端末４０に送信される。倉庫・運輸会社端末４０は、ベンダ端末３０からの出荷指令を受信すると、自己の倉庫内の在庫確認処理を行い、当該商品の在庫を確認した後、この倉庫・運輸会社端末４０によって図示しないがトラック便等による当該商品の出荷手配等が行われ、これにより当該商品はベンダに向けて発送される。
【００２４】
倉庫・運輸会社端末４０は、当該商品の出荷手配終了後、通信網５０を介してベンダ端末３０に対して、予め前記管理センタコンピュータ１から取得している共通化された納品書、請求書を用いた情報伝送により前記商品の出荷に関連する代金請求を行う。倉庫・運輸会社端末４０は、更にベンダ端末３０に対して出荷分を補充するための出荷分追加発注、当該商品受理の情報伝送を行い、その情報を記憶保持する。
【００２５】
前記ベンダ端末３０は、出荷指令送信後、前記バイア端末２０への共通化された納品書、請求書を用いた情報伝送により前記受注商品に関連する代金請求を行う。また、ベンダ端末３０は、倉庫・運輸会社への出荷分追加処理を行いその情報を記憶保持する。
【００２６】
前記バイア端末２０は、前記倉庫・運輸会社が発送した発注商品を受領すると、ベンダ端末３０から送信された納品書、請求書の情報を確認し、図示しないが関連金融機関へ発注商品の代金支払いを行い、その支払い情報を前記ベンダ端末３０へ送信する。ベンダ端末３０はその支払い情報を記憶保持する。
【００２７】
前記ベンダ端末３０も、倉庫・運輸会社端末４０から送信された納品書、請求書の情報を確認し、図示しないが関連金融機関へ代金支払いを行い、その支払い情報を前記倉庫・運輸会社端末４０へ送信する。ベンダ端末３０その支払い情報を記憶保持する。
【００２８】
この他、前記ベンダ端末３０にける商品の棚卸し情報、前記倉庫・運輸会社端末４０における商品の棚卸し情報、返品される商品の処理情報各々記憶保持される。
【００２９】
更に、上述した各端末において各々処理され記憶される全ての物流関連情報が、各々情報集計され、通信網５０を介して管理センタコンピュータ１へ送られ、管理センタコンピュータ１にて一元管理される。
【００３０】
すなわち、前記バイア端末２０においては、前記商品の発注、ベンダ端末３０からの納品書及び請求書の受信、発注商品の受領、ベンダ端末３０への代金支払いを含む物流関連情報が、前記物流管理プログラムに基づいて情報集計され、集計情報が前記通信網５０を介して管理センタコンピュータ１に送信される。
【００３１】
また、前記ベンダ端末３０においては、前記商品の受注、倉庫・運輸会社端末４０への出荷指令、倉庫・運輸会社端末４０からの納品書及び請求書、バイア端末２０からの代金受領、倉庫・運輸会社端末４０への代金支払いを含む物流関連情報が、前記物流管理プログラムに基づいて情報集計され、集計情報が前記通信網５０を介して管理センタコンピュータ１に送信される。
【００３２】
更に、前記倉庫・運輸会社端末４０においては、前記商品の出荷指令、前記商品の出荷処理、ベンダ端末３０への納品書及び請求書、ベンダ端末３０からの代金受領を含む物流関連情報が、前記物流管理プログラムに基づいて情報集計され、集計情報が前記通信網５０を介して管理センタコンピュータ１に送信される。
【００３３】
管理センタコンピュータ１においては、バイア端末２０、ベンダ端末３０、倉庫・運輸会社端末４０からの各集計情報を前記物流管理プログラムに基づいて受信して、メインデータベース１１に記憶保持し、一元管理に供する。
【００３４】
上述した一連の物流関連情報の処理において、前記管理センタコンピュータ１と、バイア端末２０、ベンダ端末３０、倉庫・運輸会社端末４０との通信は、各々端末操作による他、ＩＰ電話１０、ＩＰ電話２２、３２、４２を用いた通信網５０を介しての通話交信で行うこともでき、この場合にも、通話交信の内容が、バイア端末２０、ベンダ端末３０、倉庫・運輸会社端末４０で各々記録され、管理センタコンピュータ１へ送信して物流関連情報の一元管理に供することができる。また、通常電話を使用する場合よりも、通信料金を節減することができる。
【００３５】
また、上述した管理センタコンピュータ１、バイア端末２０、ベンダ端末３０、倉庫・運輸会社端末４０を通信網５０を介して接続したシステムにおける一連の物流関連情報の処理を行う物流管理プログラムを前記プログラムメモリ４に予め記憶して本実施例に係る物流管理システムを動作させる場合の他、前記記憶媒体５にコンピュータ読み取り可能に物流管理プログラム記憶しておき、媒体処理部６にて読み込んで本実施例に係る物流管理システムを動作させることもできる。
【００３６】
更に、上述した実施例では、バイア端末２０、ベンダ端末３０、倉庫・運輸会社端末４０は、各々単一構成として物流管理システムを構成する場合について説明したが、図６に示すように、バイア端末２０、ベンダ端末３０、倉庫・運輸会社端末４０は、各々複数のバイア群、複数のベンダ群、倉庫・運輸会社の複数の倉庫群用の複数個構成としても当然に実施できる。
【００３７】
この場合、複数のバイア群、複数のベンダ群は、同一会社の異なる営業所群、異なる工場群等からなる構成としたり、異なる会社の営業所群、異なる会社の工場群からなる構成したりすることが可能である。また、倉庫・運輸会社端末４０の群構成として、業務提携する異なる会社の各倉庫群を通信網５０を介して接続した構成とすることも可能である。
【００３８】
以上説明した本実施例によれば、管理センタコンピュータ１により、バイア端末２０、ベンダ端末３０、倉庫・運輸会社端末４０における物流関連情報を安価に利用可能な通信網５０を介して一元管理することができ、安価な物流管理システムを構築することができる。
【００３９】
また、ウェブサイトを利用してのリアルタイムに在庫確認、棚卸し等の種々の情報管理が可能となり、特に注文商品の速やかな出荷対応が可能となる。更に、バイア端末２０、ベンダ端末３０、倉庫・運輸会社端末４０各々での物流関連情報の情報集計、管理センタコンピュータ１における各端末からの情報収集、全ての物流関連情報の一元管理が容易となる。
この結果、全体として、転記ミスの防止、ペーパーレス化の促進、エラー発生時の原因把握の容易化、ファクシミリ文書、通常電話による情報確認作業の不要化を通じて、通信費、諸経費、人件費の削減等多大の効果を奏する物流管理システムを提供することができる。
【００４０】
また、本実施例によれば、上述した多大の効果を奏する物流管理システムを容易に構築することができる物流管理プログラム及びこの物流管理プログラムを記憶した記憶媒体を具備する物流管理システムを提供でき、多くの企業等への物流管理システム構築の拡大に供することができる。
【産業上の利用可能性】
【００４１】
本考案は、上述したように、管理センタコンピュータにより、各々単独のバイア端末、ベンダ端末、倉庫・運輸会社端末における物流関連情報を一元管理する場合の他、複数の、すなわち、各々群構成からなるバイア端末、ベンダ端末、倉庫・運輸会社端末における物流関連情報を通信網を介して管理センタコンピュータにて総合的に一元管理する場合にも適用することができる。
【図面の簡単な説明】
【００４２】
【図１】本考案の実施例に係る物流管理システムにおける全体構成を示すブロック図である。
【図２】本考案の実施例に係る物流管理システムにおけるバイア端末、ベンダ端末、倉庫・運輸会社端末の詳細ブロック図である。
【図３】本考案の実施例に係る物流管理システムにおける管理センタコンピュータの詳細ブロック図である。
【図４】本考案の実施例に係るウェブサイトの一例を示す図である。
【図５】本考案の実施例に係る物流管理システムにおける物流管理プログラムに基づく一連の処理の流れを示す図である。
【図６】本考案の実施例に係る物流管理システムの応用例を示すブロック図である。
【符号の説明】
【００４３】
１    管理センタコンピュータ
２    ＬＡＮ回線
３    制御部
４    プログラムメモリ
５    記憶媒体
６    媒体処理部
７    セキュリティサーバ
８    ウェブサーバ
９    メールサーバ
１０    ＩＰ電話
１１    メインデータベース
１２    ウェブデータベース
１３    ＣＴＩデータベース
１４    入出力インターフェース
１５    キーボード
１６    マウス
１７    プリンタ
１８    表示部
２０    バイア端末
２１    操作用端末
２２    ＩＰ電話
３０    ベンダ端末
３１    操作用端末
３２    ＩＰ電話
４０    倉庫・運輸会社端末
４１    操作用端末
４２    ＩＰ電話
５０    通信網
６０    ウェブサイト